【手続補正書】
【提出日】平成26年3月7日(2014.3.7)
【手続補正１】
【補正対象書類名】明細書
【補正対象項目名】０６１８
【補正方法】変更
【補正の内容】
【０６１８】
本明細書に記載した方法および装置を特に示し、その例示の実施形態を参照することによって記載したが、当業者によって形式および詳細のさまざまな変更が行われ得ることを理解されたい。
なお、本発明は、実施の態様として以下の内容を含む。
〔態様１〕
データセットを処理する方法であって、
目的関数の値に基づいて１つ以上の３次元変換を演算する工程であって、各３次元変換は、それぞれ３次元データセットに対応付けられ、前記３次元データセットはオブジェクトの少なくとも部分的に重なる領域を表しており、
（a）（i）変換後の状態にある２つ以上の３次元データセット間、または（ii）前記変換後の状態にある２つ以上の前処理された３次元データセット間の類似の度合いを計算すること、および
（ｂ）撮像器具に対する前記オブジェクトの動きを推定することによって、前記目的関数を評価する、評価工程を有する、３次元変換演算工程と、
少なくとも１つの動き補正済データセットを取得するように、少なくとも１つの３次元変換を、対応付けられた３次元データセット、または前記対応付けられた３次元データセットに対応する導関数３次元データセットに適用する３次元変換適用工程とを備えた、データセット処理方法。
〔態様２〕
態様１に記載のデータセット処理方法において、前記目的関数を評価する評価工程は、（i）前記変換後の状態にある前記２つ以上の３次元データセット間、または（ii）前記変換後の状態にある前記２つ以上の前処理された３次元データセット間の類似の度合いを優位にすることを含む、データセット処理方法。
〔態様３〕
態様２に記載のデータセット処理方法において、各３次元データセットは、前記オブジェクトの領域から収集された信号値の集合であり、前記変換後の状態にある前記２つ以上の３次元データセット間の類似の度合いを優位にすることは、信号値間の差に罰則を付けることを含む、データセット処理方法。
〔態様４〕
態様１に記載のデータセット処理方法において、前記目的関数を評価する評価工程は、撮像器具に対する前記オブジェクトの動きに罰則を付けることを含む、データセット処理方法。
〔態様５〕
態様１に記載のデータセット処理方法において、前記３次元変換演算工程は第１および第２の３次元変換を含み、前記３次元変換適用工程は、第１の動き補正済データセットを取得するように、前記第１の３次元変換を第１の３次元データセットに適用すること、および、第２の動き補正済データセットを取得するように、前記第２の３次元変換を第２の３次元データセットに適用することを含み、
さらに、前記第１または第２の動き補正済データセットの個々に対して改善された信号品質を有する、マージされた動き補正済データセットを取得するように、前記第１および第２の動き補正済データセットのデータ要素を結合するデータ要素結合工程を備えた、データセット処理方法。
〔態様６〕
態様５に記載のデータセット処理方法において、
前記データ要素結合工程は、さらに、前記第１および前記第２の３次元変換の少なくとも１つの特性に基づいて、前記第１および第２の動き補正済データセットのデータ要素の寄与であって、前記マージされた動き補正済データセットに対する寄与を調整するデータ要素寄与調整工程を有する、データセット処理方法。
〔態様７〕
態様６に記載のデータセット処理方法において、前記第１または前記第２の３次元変換の前記少なくとも１つの特性は、サンプリング密度である、データセット処理方法。
〔態様８〕
態様６に記載のデータセット処理方法において、前記データ要素寄与調整工程は、さらに、前記第１および第２の動き補正済データセットの前記データ要素の加重和を演算するデータ要素加重和演算工程を有する、データセット処理方法。
〔態様９〕
態様１に記載のデータセット処理方法において、さらに、
第１の走査パターンを用いて第１の３次元データセットを収集する工程と、
第２の走査パターンを用いて第２の３次元データセットを収集する工程とを備え、
前記第１の走査パターンと前記第２の走査パターンは相補的である、データセット処理方法。
〔態様１０〕
態様９に記載のデータセット処理方法において、前記相補的な第１および第２の走査パターンはラスタ走査である、データセット処理方法。
〔態様１１〕
態様１０に記載のデータセット処理方法において、前記ラスタ走査は互いに直交する、データセット処理方法。
〔態様１２〕
態様１に記載のデータセット処理方法において、さらに、
前記１つ以上の３次元変換を反復的に演算する反復演算工程を備えた、データセット処理方法。
〔態様１３〕
態様１に記載のデータセット処理方法において、さらに、
前記目的関数に対して数値最適化法を使用して、前記１つ以上の３次元変換を演算する、数値最適化法演算工程を備えた、データセット処理方法。
〔態様１４〕
態様１に記載のデータセット処理方法において、さらに、
多重解像度数値最適化法を使用して、前記１つ以上の３次元変換を演算する、多重解像度数値最適化法演算工程を備えた、データセット処理方法。
〔態様１５〕
態様１に記載のデータセット処理方法において、前記オブジェクトは、目、網膜、中心窩、視神経乳頭、および角膜からなる群から選択される、データセット処理方法。
〔態様１６〕
態様１に記載のデータセット処理方法において、さらに、
第１の時点の第１の動き補正済データセットを取得する第１の動き補正済データセット取得工程と、
第２の時点の第２の動き補正済データセットを取得する第２の動き補正済データセット取得工程と、
前記第１の時点および前記第２の時点の間の変化を量的に追跡するように、前記第１の動き補正済データセットと前記第２の動き補正済データセットを比較する、動き補正済データセット比較工程とを備えた、データセット処理方法。
〔態様１７〕
態様１６に記載のデータセット処理方法において、前記オブジェクトは、被験者に関連するオブジェクトである、データセット処理方法。
〔態様１８〕
態様１７に記載のデータセット処理方法において、前記第１の時点は、前記被験者がヘルスケアプロバイダに１回目に訪れた時点であり、前記第２の時点は、前記被験者が前記ヘルスケアプロバイダに２回目に訪れた時点である、データセット処理方法。
〔態様１９〕
態様１７に記載のデータセット処理方法において、前記第１の時点は、前記オブジェクトを走査するために前記被験者が１回目に行動した時点であり、前記第２の時点は、前記オブジェクトを走査するために前記被験者が２回目に行動した時点である、データセット処理方法。
〔態様２０〕
態様１に記載のデータセット処理方法において、前記３次元データセットは、Ａ走査で取り込まれ、前記１つ以上の３次元変換は、３次元変位を各Ａ走査に関連付けるものである、データセット処理方法。
〔態様２１〕
態様１に記載のデータセット処理方法において、さらに、
画像再サンプリング、雑音低減、Ａ走査特徴生成、傾斜補償、およびロールオフ補償からなる群から選択される手法によって、前記３次元データセットを前処理する、３次元データセット前処理工程を備えた、データセット処理方法。
〔態様２２〕
態様１に記載のデータセット処理方法において、前記３次元データセットは、強度データ、ドップラーシフトデータ、および偏光データの少なくとも１つを含む、データセット処理方法。
〔態様２３〕
態様１に記載のデータセット処理方法において、前記導関数３次元データセットは、ドップラーシフトデータおよび偏光データの少なくとも１つを含む、データセット処理方法。
〔態様２４〕
データセットを処理するシステムであって、
目的関数の値に基づいて１つ以上の３次元変換を演算する演算モジュールであって、各３次元変換は、それぞれ３次元データセットに対応付けられ、前記３次元データセットはオブジェクトの少なくとも部分的に重なる領域を表しており、
（a）（i）変換後の状態にある２つ以上の３次元データセット間、または（ii）前記変換後の状態にある２つ以上の前処理された３次元データセット間の類似の度合いを計算すること、および
（b）撮像器具に対する前記オブジェクトの動きを推定することによって、前記目的関数を評価する、演算モジュールと、
少なくとも１つの動き補正済データセットを取得するように、少なくとも１つの３次元変換を、対応付けられた３次元データセット、または対応付けられた３次元データセットに対応する導関数３次元データセットに適用する動き補正モジュールとを備えた、データセット処理システム。
〔態様２５〕
態様２４に記載のデータセット処理システムにおいて、前記演算モジュールは、（i）前記変換後の状態にある前記２つ以上の３次元データセット間、または（ii）前記変換後の状態にある２つ以上の前処理された３次元データセット間の類似の度合いを優位にすることによって、前記目的関数を評価する、データセット処理システム。
〔態様２６〕
態様２５に記載のデータセット処理システムにおいて、各３次元データセットは、前記オブジェクトの領域から収集された信号値の集合であり、前記演算モジュールは、信号値間の差に罰則を付けることによって、前記変換後の状態にある前記２つ以上の３次元データセット間の類似の度合いを優位にする、データセット処理システム。
〔態様２７〕
態様２４に記載のデータセット処理システムにおいて、前記演算モジュールは、撮像器具に対する前記オブジェクトの動きに罰則を付けることによって、前記目的関数を評価する、データセット処理システム。
〔態様２８〕
態様２４に記載のデータセット処理システムにおいて、前記演算モジュールは第１および第２の３次元変換を演算し、前記動き補正モジュールは、第１の動き補正済データセットを取得するように、前記第１の３次元変換を第１の３次元データセットに適用し、第２の動き補正済データセットを取得するように、前記第２の３次元変換を第２の３次元データセットに適用し、
さらに、前記動き補正モジュールは、前記第１または第２の動き補正済データセットの個々に対して改善された信号品質を有する、マージされた動き補正済データセットを取得するように、前記第１および第２の動き補正済データセットのデータ要素を結合する、データセット処理システム。
〔態様２９〕
態様２８に記載のデータセット処理システムにおいて、前記動き補正モジュールは、前記第１および前記第２の３次元変換の少なくとも１つの特性に基づいて、前記第１および第２の動き補正済データセットのデータ要素の寄与であって、前記マージされた動き補正済データセットに対する寄与を調整することによって、データ要素を結合する、データセット処理システム。
〔態様３０〕
態様２９に記載のデータセット処理システムにおいて、前記第１または前記第２の３次元変換の前記少なくとも１つの特性は、サンプリング密度である、データセット処理システム。
〔態様３１〕
態様２８に記載のデータセット処理システムにおいて、前記動き補正モジュールは、前記第１および第２の動き補正済データセットの前記データ要素の加重和を演算することによって、データ要素を結合する、データセット処理システム。
〔態様３２〕
態様２４に記載のデータセット処理システムにおいて、さらに、
第１の走査パターンを用いて第１の３次元データセットを収集し、第２の走査パターンを用いて第２の３次元データセットを収集するデータ収集モジュールを備え、
前記第１の走査パターンと前記第２の走査パターンは相補的である、データセット処理システム。
〔態様３３〕
態様３２に記載のデータセット処理システムにおいて、前記相補的な第１および第２の走査パターンはラスタ走査である、データセット処理システム。
〔態様３４〕
態様３３に記載のデータセット処理システムにおいて、前記ラスタ走査は互いに直交する、データセット処理システム。
〔態様３５〕
態様２４に記載のデータセット処理システムにおいて、前記演算モジュールは、前記１つ以上の３次元変換を反復的に演算する、データセット処理システム。
〔態様３６〕
態様２４に記載のデータセット処理システムにおいて、前記演算モジュールは、前記目的関数に対して数値最適化法を使用して、前記１つ以上の３次元変換を演算する、データセット処理システム。
〔態様３７〕
態様２４に記載のデータセット処理システムにおいて、前記演算モジュールは、多重解像度数値最適化法を使用して、前記１つ以上の３次元変換を演算する、データセット処理システム。
〔態様３８〕
態様２４に記載のデータセット処理システムにおいて、さらに、
第１の時点の第１の動き補正済データセットと、第２の時点の第２の動き補正済データセットとを比較して、前記第１の時点および前記第２の時点の間の変化を量的に追跡する、時間比較モジュールを備えた、データセット処理システム。
〔態様３９〕
態様３８に記載のデータセット処理システムにおいて、前記オブジェクトは、被験者に関連するオブジェクトである、データセット処理システム。
〔態様４０〕
態様３９に記載のデータセット処理システムにおいて、前記第１の時点は、前記被験者がヘルスケアプロバイダに１回目に訪れた時点であり、前記第２の時点は、前記被験者が前記ヘルスケアプロバイダに２回目に訪れた時点である、データセット処理システム。
〔態様４１〕
態様３９に記載のデータセット処理システムにおいて、前記第１の時点は、前記オブジェクトを走査するために前記被験者が１回目に行動した時点であり、前記第２の時点は、前記オブジェクトを走査するために前記被験者が２回目に行動した時点である、データセット処理システム。
〔態様４２〕
態様２４に記載のデータセット処理システムにおいて、前記３次元データセットは、Ａ走査で取り込まれ、前記１つ以上の３次元変換は、３次元変位を各Ａ走査に関連付けるものである、データセット処理システム。
〔態様４３〕
態様２４に記載のデータセット処理システムにおいて、さらに、
画像再サンプリング、雑音低減、Ａ走査特徴生成、傾斜補償、およびロールオフ補償からなる群から選択される手法によって、前記３次元データセットを前処理する、前処理モジュールを備えた、データセット処理システム。
〔態様４４〕
態様２４に記載のデータセット処理システムにおいて、前記３次元データセットは、強度データ、ドップラーシフトデータ、および偏光データの少なくとも１つを含む、データセット処理システム。
〔態様４５〕
態様２４に記載のデータセット処理システムにおいて、前記導関数３次元データセットは、ドップラーシフトデータおよび偏光データの少なくとも１つを含む、データセット処理システム。
〔態様４６〕
一連の命令を記録した、一時的ではないコンピュータ読み取り可能な媒体であって、前記命令は、プロセッサによって実行されると、当該プロセッサに、
目的関数の値に基づいて１つ以上の３次元変換を演算させる手順であって、各３次元変換は、それぞれ３次元データセットに対応付けられ、前記３次元データセットはオブジェクトの少なくとも部分的に重なる領域を表しており、
（a）（i）変換後の状態にある２つ以上の３次元データセット間、または（ii）前記変換後の状態にある２つ以上の前処理された３次元データセット間の類似の度合いを計算すること、および
（b）撮像器具に対する前記オブジェクトの動きを推定することによって、前記プロセッサに前記目的関数を評価させる命令を有する、３次元変換演算手順と、
少なくとも１つの動き補正済データセットを取得するように、少なくとも１つの３次元変換を、対応付けられた３次元データセット、または前記対応付けられた３次元データセットに対応する導関数３次元データセットに適用する手順とを実行させる、非一時的コンピュータ読み取り可能媒体。
〔態様４７〕
ＯＣＴデータセットを処理する方法であって、
オブジェクトの少なくとも部分的に重なる領域を表す２つ以上の３次元ＯＣＴデータセットを収集する工程であって、少なくとも１つのデータセットが、少なくとも１つの他のデータセットの走査パターンに対して相補的な走査パターンを使用して収集される、ＯＣＴデータセット収集工程と、
目的関数を使用して各データセットのための３次元変換を演算する工程であって、前記目的関数は、
（a）変換後の状態にある前記３次元データセット間の演算された類似の度合いを優位にし、
（b）撮像器具に対する前記オブジェクトの動きに罰則を付ける、３次元変換演算工程と、
少なくとも１つの動き補正済データセットを取得するように、少なくとも１つの３次元変換を各データセットに適用する工程とを備えた、ＯＣＴデータセット処理方法。
〔態様４８〕
態様４７に記載のＯＣＴデータセット処理方法において、類似の度合いは、強度データ、振幅データ、位相データおよび偏光データの少なくとも１つに基づいて演算される、ＯＣＴデータセット処理方法。
〔態様４９〕
態様４７に記載のＯＣＴデータセット処理方法において、類似の度合いを演算するのに使用される前記データは、雑音抑圧、傾斜補償、ＯＣＴ信号ロールオフ補正、データ削減、データ正規化、またはこれらの任意の組み合わせを使用して、前処理される、ＯＣＴデータセット処理方法。
〔態様５０〕
態様４７に記載のＯＣＴデータセット処理方法において、前記３次元変換は、強度データ、振幅データ、位相データおよび偏光データの少なくとも１つを変換することによって、各３次元データセットに適用される、ＯＣＴデータセット処理方法。
〔態様５１〕
態様４７に記載のＯＣＴデータセット処理方法において、前記変換後の状態にある前記３次元データセット間の前記演算された類似の度合いを優位にすることは、前記変換後の状態にある前記３次元データセットから選択されるデータ値間の差に罰則を付けることを含む、ＯＣＴデータセット処理方法。
〔態様５２〕
態様５１に記載のＯＣＴデータセット処理方法において、データ値間の前記差に罰則を付けることは、差の二乗和、分散、差の絶対値の和、またはこれらの任意の組み合わせを使用することを含む、ＯＣＴデータセット処理方法。
〔態様５３〕
態様４７に記載のＯＣＴデータセット処理方法において、第１の動き補正済データセットを取得するように、第１の３次元変換が第１の３次元データセットに適用され、第２の動き補正済データセットを取得するように、第２の３次元変換が第２の３次元データセットに適用され、
さらに、前記第１または第２の動き補正済データセットの個々に対して改善された信号品質を有する、マージされた動き補正済データセットを取得するように、前記第１および第２の動き補正済データセットからのデータ要素を結合することによって、前記第１および前記第２の動き補正済データセットをマージするマージ工程を備えた、ＯＣＴデータセット処理方法。
〔態様５４〕
態様５３に記載のＯＣＴデータセット処理方法において、前記第１および前記第２の３次元変換は特性を有し、前記第１および前記第２の動き補正済データセットをマージする前記マージ工程は、さらに、前記第１および前記第２の３次元変換の少なくとも１つの特性に基づいて、前記マージされた動き補正済データセットに対するデータ要素の寄与を調整することを含む、ＯＣＴデータセット処理方法。
〔態様５５〕
態様５４に記載のＯＣＴデータセット処理方法において、前記第１または前記第２の３次元変換の前記少なくとも１つの特性は、サンプリング密度である、ＯＣＴデータセット処理方法。
〔態様５６〕
態様５４に記載のＯＣＴデータセット処理方法において、前記第１および前記第２の動き補正済データセットをマージする前記マージ工程は、前記第１および第２の動き補正済データセットの前記データ要素の加重和を演算することを含む、ＯＣＴデータセット処理方法。
〔態様５７〕
態様４７に記載のＯＣＴデータセット処理方法において、前記相補的な走査パターンはラスタ走査である、ＯＣＴデータセット処理方法。
〔態様５８〕
態様５７に記載のＯＣＴデータセット処理方法において、前記ラスタ走査は互いに直交する、ＯＣＴデータセット処理方法。
〔態様５９〕
態様４７に記載のＯＣＴデータセット処理方法において、さらに、
前記３次元変換を反復的に演算する反復演算工程を備えた、ＯＣＴデータセット処理方法。
〔態様６０〕
態様４３に記載のＯＣＴデータセット処理方法において、さらに、
多重解像度数値最適化法を使用して、前記３次元変換を演算する、多重解像度数値最適化法演算工程を備えた、ＯＣＴデータセット処理方法。
〔態様６１〕
態様４７に記載のＯＣＴデータセット処理方法において、前記オブジェクトは、目、網膜、中心窩、視神経乳頭、および角膜からなる群から選択される、ＯＣＴデータセット処理方法。
〔態様６２〕
態様４７に記載のＯＣＴデータセット処理方法において、
第１の時点の第１の動き補正済データセットを取得するように、前記第１の時点における少なくとも第１および第２のデータセットが処理され、
第２の時点の第２の動き補正済データセットを取得するように、前記第２の時点における少なくとも第３および第４のデータセットが処理され、
さらに、複数の時点にわたる変化を量的に追跡するように、前記動き補正済データセットまたは前記動き補正済データセットからの測定値を比較する比較工程を備えた、ＯＣＴデータセット処理方法。
〔態様６３〕
態様４７に記載のＯＣＴデータセット処理方法において、前記３次元データセットはＡ走査を含み、
さらに、各３次元データセットは、強度、振幅、位相、ドップラーシフトおよび偏光信号の少なくとも１つを含むデータチャネルのセットで構成され、
さらに、データチャネルの前記セットを前記ＯＣＴデータセットからの各Ａ走査に対応付ける関連付け工程を備えた、ＯＣＴデータセット処理方法。
〔態様６４〕
態様４７に記載のＯＣＴデータセット処理方法において、前記３次元データセットはＡ走査を含み、さらに、前記３次元変換は、３次元変位を各Ａ走査に関連付けるものである、ＯＣＴデータセット処理方法。
【手続補正２】
【補正対象書類名】特許請求の範囲
【補正対象項目名】全文
【補正方法】変更
【補正の内容】
【特許請求の範囲】
【請求項１】
データセットを処理する方法であって、
目的関数の値に基づいて１つ以上の３次元変換を演算する工程であって、各３次元変換は、それぞれ３次元データセットに対応付けられ、前記３次元データセットはオブジェクトの少なくとも部分的に重なる領域を表しており、
（a）（i）変換後の状態にある２つ以上の３次元データセット間、または（ii）前記変換後の状態にある２つ以上の前処理された３次元データセット間の類似の度合いを計算すること、および
（ｂ）撮像器具に対する前記オブジェクトの動きを推定することによって、前記目的関数を評価する、評価工程を有する、３次元変換演算工程と、
少なくとも１つの動き補正済データセットを取得するように、少なくとも１つの３次元変換を、対応付けられた３次元データセット、または前記対応付けられた３次元データセットに対応する導関数３次元データセットに適用する３次元変換適用工程とを備えた、データセット処理方法。
【請求項２】
請求項１に記載のデータセット処理方法において、前記目的関数を評価する評価工程は、（i）前記変換後の状態にある前記２つ以上の３次元データセット間、または（ii）前記変換後の状態にある前記２つ以上の前処理された３次元データセット間の類似の度合いを優位にすることを含む、データセット処理方法。
【請求項３】
請求項２に記載のデータセット処理方法において、各３次元データセットは、前記オブジェクトの領域から収集された信号値の集合であり、前記変換後の状態にある前記２つ以上の３次元データセット間の類似の度合いを優位にすることは、信号値間の差に罰則を付けることを含む、データセット処理方法。
【請求項４】
請求項１に記載のデータセット処理方法において、前記目的関数を評価する評価工程は、撮像器具に対する前記オブジェクトの動きに罰則を付けることを含む、データセット処理方法。
【請求項５】
請求項１に記載のデータセット処理方法において、前記３次元変換演算工程は第１および第２の３次元変換を含み、前記３次元変換適用工程は、第１の動き補正済データセットを取得するように、前記第１の３次元変換を第１の３次元データセットに適用すること、および、第２の動き補正済データセットを取得するように、前記第２の３次元変換を第２の３次元データセットに適用することを含み、
さらに、前記第１または第２の動き補正済データセットの個々に対して改善された信号品質を有する、マージされた動き補正済データセットを取得するように、前記第１および第２の動き補正済データセットのデータ要素を結合するデータ要素結合工程を備えた、データセット処理方法。
【請求項６】
請求項５に記載のデータセット処理方法において、
前記データ要素結合工程は、さらに、前記第１および前記第２の３次元変換の少なくとも１つの特性に基づいて、前記第１および第２の動き補正済データセットのデータ要素の寄与であって、前記マージされた動き補正済データセットに対する寄与を調整するデータ要素寄与調整工程を有する、データセット処理方法。
【請求項７】
請求項６に記載のデータセット処理方法において、前記第１または前記第２の３次元変換の前記少なくとも１つの特性は、サンプリング密度である、データセット処理方法。
【請求項８】
請求項６に記載のデータセット処理方法において、前記データ要素寄与調整工程は、さらに、前記第１および第２の動き補正済データセットの前記データ要素の加重和を演算するデータ要素加重和演算工程を有する、データセット処理方法。
【請求項９】
請求項１に記載のデータセット処理方法において、さらに、
第１の走査パターンを用いて第１の３次元データセットを収集する工程と、
第２の走査パターンを用いて第２の３次元データセットを収集する工程とを備え、
前記第１の走査パターンと前記第２の走査パターンは相補的である、データセット処理方法。
【請求項１０】
請求項９に記載のデータセット処理方法において、前記相補的な第１および第２の走査パターンはラスタ走査である、データセット処理方法。
【請求項１１】
請求項１０に記載のデータセット処理方法において、前記ラスタ走査は互いに直交する、データセット処理方法。
【請求項１２】
請求項１に記載のデータセット処理方法において、さらに、
前記１つ以上の３次元変換を反復的に演算する反復演算工程を備えた、データセット処理方法。
【請求項１３】
請求項１に記載のデータセット処理方法において、さらに、
前記目的関数に対して数値最適化法を使用して、前記１つ以上の３次元変換を演算する、数値最適化法演算工程を備えた、データセット処理方法。
【請求項１４】
請求項１に記載のデータセット処理方法において、さらに、
多重解像度数値最適化法を使用して、前記１つ以上の３次元変換を演算する、多重解像度数値最適化法演算工程を備えた、データセット処理方法。
【請求項１５】
請求項１に記載のデータセット処理方法において、前記オブジェクトは、目、網膜、中心窩、視神経乳頭、および角膜からなる群から選択される、データセット処理方法。
【請求項１６】
請求項１に記載のデータセット処理方法において、さらに、
第１の時点の第１の動き補正済データセットを取得する第１の動き補正済データセット取得工程と、
第２の時点の第２の動き補正済データセットを取得する第２の動き補正済データセット取得工程と、
前記第１の時点および前記第２の時点の間の変化を量的に追跡するように、前記第１の動き補正済データセットと前記第２の動き補正済データセットを比較する、動き補正済データセット比較工程とを備えた、データセット処理方法。
【請求項１７】
請求項１６に記載のデータセット処理方法において、前記オブジェクトは、被験者に関連するオブジェクトである、データセット処理方法。
【請求項１８】
請求項１７に記載のデータセット処理方法において、前記第１の時点は、前記被験者がヘルスケアプロバイダに１回目に訪れた時点であり、前記第２の時点は、前記被験者が前記ヘルスケアプロバイダに２回目に訪れた時点である、データセット処理方法。
【請求項１９】
請求項１７に記載のデータセット処理方法において、前記第１の時点は、前記オブジェクトを走査するために前記被験者が１回目に行動した時点であり、前記第２の時点は、前記オブジェクトを走査するために前記被験者が２回目に行動した時点である、データセット処理方法。
【請求項２０】
請求項１に記載のデータセット処理方法において、前記３次元データセットは、Ａ走査で取り込まれ、前記１つ以上の３次元変換は、３次元変位を各Ａ走査に関連付けるものである、データセット処理方法。
【請求項２１】
請求項１に記載のデータセット処理方法において、さらに、
画像再サンプリング、雑音低減、Ａ走査特徴生成、傾斜補償、およびロールオフ補償からなる群から選択される手法によって、前記３次元データセットを前処理する、３次元データセット前処理工程を備えた、データセット処理方法。
【請求項２２】
請求項１に記載のデータセット処理方法において、前記３次元データセットは、強度データ、ドップラーシフトデータ、および偏光データの少なくとも１つを含む、データセット処理方法。
【請求項２３】
請求項１に記載のデータセット処理方法において、前記導関数３次元データセットは、ドップラーシフトデータおよび偏光データの少なくとも１つを含む、データセット処理方法。
【請求項２４】
データセットを処理するシステムであって、
目的関数の値に基づいて１つ以上の３次元変換を演算する演算モジュールであって、各３次元変換は、それぞれ３次元データセットに対応付けられ、前記３次元データセットはオブジェクトの少なくとも部分的に重なる領域を表しており、
（a）（i）変換後の状態にある２つ以上の３次元データセット間、または（ii）前記変換後の状態にある２つ以上の前処理された３次元データセット間の類似の度合いを計算すること、および
（b）撮像器具に対する前記オブジェクトの動きを推定することによって、前記目的関数を評価する、演算モジュールと、
少なくとも１つの動き補正済データセットを取得するように、少なくとも１つの３次元変換を、対応付けられた３次元データセット、または対応付けられた３次元データセットに対応する導関数３次元データセットに適用する動き補正モジュールとを備えた、データセット処理システム。
【請求項２５】
請求項２４に記載のデータセット処理システムにおいて、前記演算モジュールは、（i）前記変換後の状態にある前記２つ以上の３次元データセット間、または（ii）前記変換後の状態にある２つ以上の前処理された３次元データセット間の類似の度合いを優位にすることによって、前記目的関数を評価する、データセット処理システム。
【請求項２６】
請求項２５に記載のデータセット処理システムにおいて、各３次元データセットは、前記オブジェクトの領域から収集された信号値の集合であり、前記演算モジュールは、信号値間の差に罰則を付けることによって、前記変換後の状態にある前記２つ以上の３次元データセット間の類似の度合いを優位にする、データセット処理システム。
【請求項２７】
請求項２４に記載のデータセット処理システムにおいて、前記演算モジュールは、撮像器具に対する前記オブジェクトの動きに罰則を付けることによって、前記目的関数を評価する、データセット処理システム。
【請求項２８】
請求項２４に記載のデータセット処理システムにおいて、前記演算モジュールは第１および第２の３次元変換を演算し、前記動き補正モジュールは、第１の動き補正済データセットを取得するように、前記第１の３次元変換を第１の３次元データセットに適用し、第２の動き補正済データセットを取得するように、前記第２の３次元変換を第２の３次元データセットに適用し、
さらに、前記動き補正モジュールは、前記第１または第２の動き補正済データセットの個々に対して改善された信号品質を有する、マージされた動き補正済データセットを取得するように、前記第１および第２の動き補正済データセットのデータ要素を結合する、データセット処理システム。
【請求項２９】
請求項２８に記載のデータセット処理システムにおいて、前記動き補正モジュールは、前記第１および前記第２の３次元変換の少なくとも１つの特性に基づいて、前記第１および第２の動き補正済データセットのデータ要素の寄与であって、前記マージされた動き補正済データセットに対する寄与を調整することによって、データ要素を結合する、データセット処理システム。
【請求項３０】
請求項２９に記載のデータセット処理システムにおいて、前記第１または前記第２の３次元変換の前記少なくとも１つの特性は、サンプリング密度である、データセット処理システム。
【請求項３１】
請求項２８に記載のデータセット処理システムにおいて、前記動き補正モジュールは、前記第１および第２の動き補正済データセットの前記データ要素の加重和を演算することによって、データ要素を結合する、データセット処理システム。
【請求項３２】
請求項２４に記載のデータセット処理システムにおいて、さらに、
第１の走査パターンを用いて第１の３次元データセットを収集し、第２の走査パターンを用いて第２の３次元データセットを収集するデータ収集モジュールを備え、
前記第１の走査パターンと前記第２の走査パターンは相補的である、データセット処理システム。
【請求項３３】
請求項３２に記載のデータセット処理システムにおいて、前記相補的な第１および第２の走査パターンはラスタ走査である、データセット処理システム。
【請求項３４】
請求項３３に記載のデータセット処理システムにおいて、前記ラスタ走査は互いに直交する、データセット処理システム。
【請求項３５】
請求項２４に記載のデータセット処理システムにおいて、前記演算モジュールは、前記１つ以上の３次元変換を反復的に演算する、データセット処理システム。
【請求項３６】
請求項２４に記載のデータセット処理システムにおいて、前記演算モジュールは、前記目的関数に対して数値最適化法を使用して、前記１つ以上の３次元変換を演算する、データセット処理システム。
【請求項３７】
請求項２４に記載のデータセット処理システムにおいて、前記演算モジュールは、多重解像度数値最適化法を使用して、前記１つ以上の３次元変換を演算する、データセット処理システム。
【請求項３８】
請求項２４に記載のデータセット処理システムにおいて、さらに、
第１の時点の第１の動き補正済データセットと、第２の時点の第２の動き補正済データセットとを比較して、前記第１の時点および前記第２の時点の間の変化を量的に追跡する、時間比較モジュールを備えた、データセット処理システム。
【請求項３９】
請求項３８に記載のデータセット処理システムにおいて、前記オブジェクトは、被験者に関連するオブジェクトである、データセット処理システム。
【請求項４０】
請求項３９に記載のデータセット処理システムにおいて、前記第１の時点は、前記被験者がヘルスケアプロバイダに１回目に訪れた時点であり、前記第２の時点は、前記被験者が前記ヘルスケアプロバイダに２回目に訪れた時点である、データセット処理システム。
【請求項４１】
請求項３９に記載のデータセット処理システムにおいて、前記第１の時点は、前記オブジェクトを走査するために前記被験者が１回目に行動した時点であり、前記第２の時点は、前記オブジェクトを走査するために前記被験者が２回目に行動した時点である、データセット処理システム。
【請求項４２】
請求項２４に記載のデータセット処理システムにおいて、前記３次元データセットは、Ａ走査で取り込まれ、前記１つ以上の３次元変換は、３次元変位を各Ａ走査に関連付けるものである、データセット処理システム。
【請求項４３】
請求項２４に記載のデータセット処理システムにおいて、さらに、
画像再サンプリング、雑音低減、Ａ走査特徴生成、傾斜補償、およびロールオフ補償からなる群から選択される手法によって、前記３次元データセットを前処理する、前処理モジュールを備えた、データセット処理システム。
【請求項４４】
請求項２４に記載のデータセット処理システムにおいて、前記３次元データセットは、強度データ、ドップラーシフトデータ、および偏光データの少なくとも１つを含む、データセット処理システム。
【請求項４５】
請求項２４に記載のデータセット処理システムにおいて、前記導関数３次元データセットは、ドップラーシフトデータおよび偏光データの少なくとも１つを含む、データセット処理システム。
【請求項４６】
一連の命令を記録した、一時的ではないコンピュータ読み取り可能な媒体であって、前記命令は、プロセッサによって実行されると、当該プロセッサに、
目的関数の値に基づいて１つ以上の３次元変換を演算させる手順であって、各３次元変換は、それぞれ３次元データセットに対応付けられ、前記３次元データセットはオブジェクトの少なくとも部分的に重なる領域を表しており、
（a）（i）変換後の状態にある２つ以上の３次元データセット間、または（ii）前記変換後の状態にある２つ以上の前処理された３次元データセット間の類似の度合いを計算すること、および
（b）撮像器具に対する前記オブジェクトの動きを推定することによって、前記プロセッサに前記目的関数を評価させる命令を有する、３次元変換演算手順と、
少なくとも１つの動き補正済データセットを取得するように、少なくとも１つの３次元変換を、対応付けられた３次元データセット、または前記対応付けられた３次元データセットに対応する導関数３次元データセットに適用する手順とを実行させる、非一時的コンピュータ読み取り可能媒体。
【請求項４７】
ＯＣＴデータセットを処理する方法であって、
オブジェクトの少なくとも部分的に重なる領域を表す２つ以上の３次元ＯＣＴデータセットを収集する工程であって、少なくとも１つのデータセットが、少なくとも１つの他のデータセットの走査パターンに対して相補的な走査パターンを使用して収集される、ＯＣＴデータセット収集工程と、
目的関数を使用して各データセットのための３次元変換を演算する工程であって、前記目的関数は、
（a）変換後の状態にある前記３次元データセット間の演算された類似の度合いを優位にし、
（b）撮像器具に対する前記オブジェクトの動きに罰則を付ける、３次元変換演算工程と、
少なくとも１つの動き補正済データセットを取得するように、少なくとも１つの３次元変換を各データセットに適用する工程とを備えた、ＯＣＴデータセット処理方法。
【請求項４８】
請求項４７に記載のＯＣＴデータセット処理方法において、類似の度合いは、強度データ、振幅データ、位相データおよび偏光データの少なくとも１つに基づいて演算される、ＯＣＴデータセット処理方法。
【請求項４９】
請求項４７に記載のＯＣＴデータセット処理方法において、類似の度合いを演算するのに使用される前記データは、雑音抑圧、傾斜補償、ＯＣＴ信号ロールオフ補正、データ削減、データ正規化、またはこれらの任意の組み合わせを使用して、前処理される、ＯＣＴデータセット処理方法。
【請求項５０】
請求項４７に記載のＯＣＴデータセット処理方法において、前記３次元変換は、強度データ、振幅データ、位相データおよび偏光データの少なくとも１つを変換することによって、各３次元データセットに適用される、ＯＣＴデータセット処理方法。
【請求項５１】
請求項４７に記載のＯＣＴデータセット処理方法において、前記変換後の状態にある前記３次元データセット間の前記演算された類似の度合いを優位にすることは、前記変換後の状態にある前記３次元データセットから選択されるデータ値間の差に罰則を付けることを含む、ＯＣＴデータセット処理方法。
【請求項５２】
請求項５１に記載のＯＣＴデータセット処理方法において、データ値間の前記差に罰則を付けることは、差の二乗和、分散、差の絶対値の和、またはこれらの任意の組み合わせを使用することを含む、ＯＣＴデータセット処理方法。
【請求項５３】
請求項４７に記載のＯＣＴデータセット処理方法において、第１の動き補正済データセットを取得するように、第１の３次元変換が第１の３次元データセットに適用され、第２の動き補正済データセットを取得するように、第２の３次元変換が第２の３次元データセットに適用され、
さらに、前記第１または第２の動き補正済データセットの個々に対して改善された信号品質を有する、マージされた動き補正済データセットを取得するように、前記第１および第２の動き補正済データセットからのデータ要素を結合することによって、前記第１および前記第２の動き補正済データセットをマージするマージ工程を備えた、ＯＣＴデータセット処理方法。
【請求項５４】
請求項５３に記載のＯＣＴデータセット処理方法において、前記第１および前記第２の３次元変換は特性を有し、前記第１および前記第２の動き補正済データセットをマージする前記マージ工程は、さらに、前記第１および前記第２の３次元変換の少なくとも１つの特性に基づいて、前記マージされた動き補正済データセットに対するデータ要素の寄与を調整することを含む、ＯＣＴデータセット処理方法。
【請求項５５】
請求項５４に記載のＯＣＴデータセット処理方法において、前記第１または前記第２の３次元変換の前記少なくとも１つの特性は、サンプリング密度である、ＯＣＴデータセット処理方法。
【請求項５６】
請求項５４に記載のＯＣＴデータセット処理方法において、前記第１および前記第２の動き補正済データセットをマージする前記マージ工程は、前記第１および第２の動き補正済データセットの前記データ要素の加重和を演算することを含む、ＯＣＴデータセット処理方法。
【請求項５７】
請求項４７に記載のＯＣＴデータセット処理方法において、前記相補的な走査パターンはラスタ走査である、ＯＣＴデータセット処理方法。
【請求項５８】
請求項５７に記載のＯＣＴデータセット処理方法において、前記ラスタ走査は互いに直交する、ＯＣＴデータセット処理方法。
【請求項５９】
請求項４７に記載のＯＣＴデータセット処理方法において、さらに、
前記３次元変換を反復的に演算する反復演算工程を備えた、ＯＣＴデータセット処理方法。
【請求項６０】
請求項４３に記載のＯＣＴデータセット処理方法において、さらに、
多重解像度数値最適化法を使用して、前記３次元変換を演算する、多重解像度数値最適化法演算工程を備えた、ＯＣＴデータセット処理方法。
【請求項６１】
請求項４７に記載のＯＣＴデータセット処理方法において、前記オブジェクトは、目、網膜、中心窩、視神経乳頭、および角膜からなる群から選択される、ＯＣＴデータセット処理方法。
【請求項６２】
請求項４７に記載のＯＣＴデータセット処理方法において、
第１の時点の第１の動き補正済データセットを取得するように、前記第１の時点における少なくとも第１および第２のデータセットが処理され、
第２の時点の第２の動き補正済データセットを取得するように、前記第２の時点における少なくとも第３および第４のデータセットが処理され、
さらに、複数の時点にわたる変化を量的に追跡するように、前記動き補正済データセットまたは前記動き補正済データセットからの測定値を比較する比較工程を備えた、ＯＣＴデータセット処理方法。
【請求項６３】
請求項４７に記載のＯＣＴデータセット処理方法において、前記３次元データセットはＡ走査を含み、
さらに、各３次元データセットは、強度、振幅、位相、ドップラーシフトおよび偏光信号の少なくとも１つを含むデータチャネルのセットで構成され、
さらに、データチャネルの前記セットを前記ＯＣＴデータセットからの各Ａ走査に対応付ける関連付け工程を備えた、ＯＣＴデータセット処理方法。
【請求項６４】
請求項４７に記載のＯＣＴデータセット処理方法において、前記３次元データセットはＡ走査を含み、さらに、前記３次元変換は、３次元変位を各Ａ走査に関連付けるものである、ＯＣＴデータセット処理方法。